(57)【要約】【課題】  ししおどし音と、さらに水琴音を楽しくことができ人々に癒し効果をもたらす水琴窟装置を提供する。【解決手段】  カメ容器１と、該カメ容器１の上部孔部２に設けられ底部に滴下孔３を有する水受部４と、中空支柱８に支持されて前記水受部４の上部へ下方方傾斜させて設けられた樋状の流水管９と、前記中空支柱８の前記流水管９より上部に指示されて該流水管９に適時に水を供給するししおどし管１０と、からなり、好ましくは、前記中空支柱８の前記ししおどし管１０の支持部より上部が貯水部１２とされ、該貯水部１２から前記ししおどし管１０に水を落下供給可能に構成した水琴窟装置。【選択図】  図１
0003168483.tif 000002
【実用新案登録請求の範囲】
【請求項１】
カメ容器と、該カメ容器の上部孔部に設けられ底部に滴下孔を有する水受部と、中空支柱に支持されて前記水受部の上部へ下方傾斜させて設けられた樋状の流水管と、前記中空支柱の前記流水管より上部に支持されて該流水管に適時に水を供給するししおどしとからなることを特徴とする水琴窟装置。
【請求項２】
前記中空支柱の前記ししおどしの支持部より上部が貯水部とされ、該貯水部から前記ししおどしに水を落下供給可能としたことを特徴とする請求項１に記載の水琴窟装置。
【請求項３】
前記ししおどしを竹材で構成したことを特徴とする請求項１又は２に記載の水琴窟装置。
【考案の詳細な説明】
【技術分野】
【０００１】
本考案は、水琴窟装置に関し、具体的には、水琴音とともに、ししおどし（鹿威し）音（以下単に「打音」と言う。）を楽しむとことができる水琴窟装置に関する。
【背景技術】
【０００２】
従来、琴の音色にも似た水琴音を発生させてその音色を楽しむ各種の水琴窟装置が提案されている。また、現在では庭園の装飾品として、また、打音を楽しむことができるししおどしが提供されている。
【先行技術文献】
【特許文献】
【０００３】
出願人は、底部に滴下孔を有する上鉢が口部に設けられたカメ容器と、該カメ容器に隣接された水桶と、該水桶と前記カメ容器の底部間を連結し途中に排水弁が設けられた連通管と、前記上鉢内に起立させられ下端部に流出口を有する貯水筒と、前記上鉢内へ下方傾斜させて設けられた流水供給管とからなる水琴窟装置を提供している（実用新案登録第３１５１５３３号公報）。
【０００４】
また、ししおどしとして、地面に角材を打ち立てずに構成することができるししおどしが提案されている（実開平６−５２４６７号公報）。
【特許文献１】実用新案登録第３１５１５３３号公報
【特許文献２】実開平６−５２４６７号公報  前記特許文献１は、実験的に最適な水琴音を得ることができ、さらに流水音を楽しむことができるものである。また、前記特許文献２は、土壌のない場所にも簡単に設置できるししおどしに関するものである。
【考案の概要】
【考案が解決しようとする課題】
【０００５】
水琴窟は、カメ容器内部に適当量の水を溜めておき、該水に滴下孔から水滴を落下させ、その落下音をカメ容器内で反響させて琴の音色に似た水琴音を楽しむものである。一方、前記ししおどしは、現在では庭園の装飾品として、また、打音を楽しむものである。
【０００６】
本考案は、前記水琴音とともに、ししおどしの打音を楽しむことができ、人々に癒し効果をもたらす斬新な水琴窟装置を提供することを目的とする。
【課題を解決するための手段】
【０００７】
前記目的を達成するために、本考案の水琴窟装置は、カメ容器と、該カメ容器の上部孔部に設けられ底部に滴下孔を有する水受部と、中空支柱に支持されて前記水受部の上部へ下方傾斜させて設けられた樋状の流水管と、前記中空支柱の前記流水管よりも上部に支持されて該流水管に適時に水を供給するししおどしと、からなることを特徴とする（請求項１）。
【０００８】
前記構成の本考案において、水琴音を楽しむ場合には、予め、前記カメ容器内に適量の水が供給される。その後、前記ししおどしを構成するししおどし管の上端開口部へ水が供給される。
【０００９】
なお、該ししおどし管の上端開口部への水の供給は手動でも自動的であってもよい。自動的に水を供給する場合にはポンプが使用されるが、その動力源として太陽電池を使用すれば商用電源から離れた場所にも自由に設置できる。
【００１０】
前記ししおどし管の上端開口部から内部に供給された水が一定量に達すると、水の荷重により前記ししおどし管の上端開口部が下降させられて内部に供給された水が前記流水管に供給される。同時に前記ししおどし管が現状に復帰するとともに打音を発する。
【００１１】
つぎに、前記流水管の水が前記水受部に供給され、該水受部に供給された水は、その底部に設けられた大きさが調整された滴下孔から前記カメ容器の上部孔部を通ってカメ容器内に落下して水琴音を発する。
【００１２】
本考案の実施の一形態は、前記中空支柱の前記ししおどしの支持部より上部が貯水部とされ、該貯水部から前記ししおどしに水を落下供給可能としたことを特徴とする（請求項２）。この実施の一形態によれば、前記ししおどしへの水の供給を自動的に行うことができる。すなわち、前記貯水部に蛇口を設けて該貯水部の水を少量ずつ前記ししおどしに落下供給すれば前記打音と水琴音を連続して楽しむことができる。
【００１３】
本考案の実施の一形態は、前記ししおどしを天然の竹材で構成したことを特徴とする（請求項３）。この実施の一形態によれば、自然のやすらぎ音を得ることができる。
【考案の効果】
【００１４】
本考案によれば、水琴音とともに、ししおどしの打音を楽しむことができ、人々に癒し効果をもたらすことができる。
【図面の簡単な説明】
【００１５】
【図１】本考案の係る水琴窟装置の全体斜視図である。
【考案を実施するための最良の形態】
【００１６】
以下に、本考案の実施形態を、図面を参照して詳細に説明する。図において、１はカメ容器であり、その上部孔部２には底部に滴下孔３を有する水受部４が設けられる。なお、５は前記カメ容器１に隣設された水桶であり、該水桶５と前記カメ容器１の底部間には途中に排水弁６を有する連結管７が設けられている。
【００１７】
さらに、中空支柱８に支持されて前記水受部４の上部へ下方傾斜させた樋状の流水管９が設けられる。なお、図面実施例では流水管９は一部のみ樋状に構成されている。
【００１８】
さらに、前記中空支柱８の前記流水管９よりも上部に該流水管９に適時に水を供給するししおどし管１０が設けられる。該ししおどし管１０は前記中空支柱８にシーソー状に支持され、常時は、その後端部が前記流水管９上に支持された受管１１に載置させられている。
【００１９】
図中、１２は前記中空支柱８の前記ししおどし管１０の支持部より上部に形成された貯水部である。また、１３は該貯水部１２に設けられた蛇口であり、該蛇口１３を開くと前記貯水部１３の水が前記ししおどし管１０に落下供給されるものである。
【００２０】
１４はカメ容器１の上部に設けた孔部から延長させられたジャバラ状の聞き取りホース、１５は耳当て部、１６はひしゃくである。なお、図面実施例では、ししおどし管１０と受管１１のみならず前記水受部４、中空支柱８及び流水管９も天然の竹材で構成している。
【００２１】
前記構成の本考案で、カメ容器１に最適な水琴音を得る場合には、前記カメ容器１と前記水桶５内に、当初、多めの水を供給しておき、該水を前記連結管７に設けられた排水弁６を開いて排水しつつ、前記ひしゃく１６を使って前記水受部４に水を供給し、前記聞き取りホース１４の耳当て部１５を耳に当て滴下音を聞いて最適の水琴音が生じる水位を前記水桶５の水位によって確認すればよいものである。
【００２２】
そして、前記最適の水琴音を確認した後には前記ししおどし管１０に適宜の方法で水を供給することにより、該ししおどし管１０の水が前記流水管９に供給されて前着ししおどし管１０の復帰によって受管１１との間で打音が発せられ、さらに水が水受部４、該水受部４の滴下孔３及び前記カメ容器１の上部孔部２を通って該カメ容器１内に落下して水琴音を発する。すなわち、ししおどし音と、さらに水琴音が発生させられるものである。
【００２３】
その他、前記ししおどし音あるいは／さらに水琴音を拾って照明を点灯させたり、さらに水琴音を拡声して大勢で楽しむこともできる。
【産業上の利用可能性】
【００２４】
本考案に係る水琴窟装置によれば、水琴音とともに、ししおどしの打を楽しむことができ、人々に癒し効果をもたらすことができ有益である。
【符号の説明】
【００２５】
１    カメ容器
２    上部孔部
３    滴下孔
４    水受部
８    中空支柱
９    流水管
１０  ししおどし
１２  貯水部
【図１】
0003168483.tif 000003